(57)【要約】【課題】荷電粒子をより効率的に加速することが可能なドリフトチューブ線形加速器を安価に得る。【解決手段】共振空胴内部のビーム加速軸に沿って複数の円筒状のドリフトチューブ３を配列し、ドリフトチューブ３をステム４を介して共振空胴内部に保持し、ドリフトチューブ３間に発生する電場を利用して荷電粒子を加速し加速ビームを収束するドリフトチューブ線形加速器であって、ドリフトチューブ３が、分割した形状の一部３ｂと他部３ａとからなり、分割した形状の一部３ｂがステム４と一体で加工されたものであり、一部３ｂ及び他部３ａにおける分割面１０を接合することにより形成された接合体９を備えたものとする。【選択図】図２
2009266450.tif 000002
【特許請求の範囲】
【請求項１】
共振空胴内部のビーム加速軸に沿って複数の円筒状のドリフトチューブを配列し、上記ドリフトチューブをステムを介して上記共振空胴内部に保持し、上記ドリフトチューブ間に発生する電場を利用して荷電粒子を加速するドリフトチューブ線形加速器であって、
上記ドリフトチューブが、分割した形状の一部と他部とからなり、
上記分割した形状の一部が上記ステムと一体で加工されたものであり、
上記一部及び他部における分割面を接合することにより形成された上記ステムと上記ドリフトチューブとの接合体を備えたことを特徴とするドリフトチューブ線形加速器。
【請求項２】
上記ドリフトチューブの一部の分割面及び上記ドリフトチューブの他部の分割面に、上記接合における互いの位置合わせのための位置合わせ形状部が形成されていることを特徴とする請求項１に記載のドリフトチューブ線形加速器。
【請求項３】
上記位置合わせ形状部が穴であり、上記穴に嵌合する位置決め用部品により、上記一部及び他部が接合されていることを特徴とする請求項２に記載のドリフトチューブ線形加速器。
【請求項４】
上記ドリフトチューブの一部が、上記他部に内包されていることを特徴とする請求項１に記載のドリフトチューブ線形加速器。
【請求項５】
上記ドリフトチューブの一部が、上記円筒状のドリフトチューブの上記ビーム加速軸に沿った外周面の一部であることを特徴とする請求項１に記載のドリフトチューブ線形加速器。
【請求項６】
上記共振空胴内部に発生する電場は上記ビーム加速軸に対して垂直方向に流れる電流によるＴＥ波（Ｈモード）であることを特徴とする請求項１ないし請求項５のいずれか１項に記載のドリフトチューブ線形加速器。
【請求項７】
上記荷電粒子の加速ビームを収束させる手段として、高周波の立ち上がりと立下りの位相の電場を交互に用いたＡＰＦ収束法を採用したことを特徴とする請求項１ないし請求項６のいずれか１項に記載のドリフトチューブ線形加速器。
【請求項８】
上記ドリフトチューブとステムの接合体に、金属表面層を付加したことを特徴とする請求項１ないし請求項７のいずれか１項に記載のドリフトチューブ線形加速器。
【発明の詳細な説明】
【技術分野】
【０００１】
本発明は、ドリフトチューブ線形加速器に関する。
【背景技術】
【０００２】
加速器は電子や陽子、あるいは重粒子などの荷電粒子を加速して高エネルギーの粒子ビームを生成する装置である。また、加速器のうち、直線状のビーム加速軸に沿って荷電粒子を加速するものは、線形加速器と呼ばれている。線形加速器には、共振空胴内部のビーム加速軸に沿ってドリフトチューブと呼ばれる円筒状電極をギャップを介して複数配列したドリフトチューブ線形加速器があり、ドリフトチューブ線形加速器では隣接するドリフトチューブ間の加速ギャップにおいて、ドリフトチューブ間に発生する高周波電場によって荷電粒子を加速する。
【０００３】
ドリフトチューブは、共振空胴内部の電磁界計算とビーム軌道計算により粒子を効率よく加速できる理想的な形状、配置が決定される。よって、ドリフトチューブの中心軸は理想的なビーム軌道に対し、高精度で一致するよう配列することが必要とされる。これらのドリフトチューブは共振空胴内部にステムを介して保持されている。このため、ステムとドリフトチューブとの高い形状精度を持つ接合体を製造する必要がある。
【０００４】
従来、ドリフトチューブとステムは別々に加工し、互いを位置あわせして接合する製造方法が一般的である。ドリフトチューブにあけた穴にステムを挿入することにより、位置決めして接合する方法がある（例えば、非特許文献１参照）。
【０００５】
また、接合法は明示していないが、ドリフトチューブの円筒面上にステムを接合している例がある（例えば、特許文献１参照）。
【０００６】
【非特許文献１】山本和男「がん治療用重イオン入射線形加速器の小型化に関する研究」東京工業大学  学士論文  平成１７年度、ｐ．６４−７３
【特許文献１】特開平１１−１２１１９９号公報（第２頁−第３頁、図９、図１０）
【発明の開示】
【発明が解決しようとする課題】
【０００７】
従来のドリフトチューブとステムの接合体は、接合時の互いの位置合わせの誤差やひずみにより形状誤差が発生しやすいという問題があった。この形状誤差は共振空胴に設置した際のドリフトチューブの中心軸とビーム加速軸の不一致の原因となる。特に、ビーム加速軸方向の長さが大きいドリフトチューブにおいて、ドリフトチューブとステムとの間に角度誤差が発生した場合、ドリフトチューブ端においてビーム加速軸とドリフトチューブの中心軸とのずれが大きくなる。
【０００８】
従来のように製作されたドリフトチューブとステムとの接合体をドリフトチューブ線形加速器に用いた場合、例えば、ドリフトチューブの中心軸とビーム加速軸との同軸度において数百μｍ以上の誤差を生じ、効率のよい加速を実現するのは困難であるという問題があった。
【０００９】
また、形状精度が要求値を満たしていない場合は、再度加工、あるいは製作する必要があった。このため、形状誤差を発生させないよう、接合時に歪みが発生しにくい電子ビーム溶接法等の高価な溶接法を用いる場合もあるが、いずれの場合も製造コストは大きなものとなるという問題があった。
【００１０】
また、ドリフトチューブ線形加速器のうち、ビーム加速軸に対して垂直方向に電流が流れるＴＥ波（Ｈモード）を利用して荷電粒子を加速するＨモード・ドリフトチューブ線形加速器においては、ステムが共振空胴内の電磁場を発生するための電流経路となるため、ステムとドリフトチューブは発熱する。ステムとドリフトチューブの接合において溶接を用いる場合は、接合時の界面における歪みの発生を抑制するため、十分に母材を溶融することができず、接合界面の面積を大きく取れない。このため、冷却性能が悪化し、ドリフトチューブとステムは発熱による膨張や変形により形状精度が悪化するという問題があった。
【００１１】
本発明は、上記のような問題を解決するためになされたものであり、形状精度が高く、冷却性能がよいステムとドリフトチューブの接合体が配列され、高効率な加速を実現できる、安価なドリフトチューブ線形加速器を提供することを目的とするものである。
【課題を解決するための手段】
【００１２】
本発明に係るドリフトチューブ線形加速器は、共振空胴内部のビーム加速軸に沿って複数の円筒状のドリフトチューブを配列し、上記ドリフトチューブをステムを介して上記共振空胴内部に保持し、上記ドリフトチューブ間に発生する電場を利用して荷電粒子を加速するドリフトチューブ線形加速器であって、
上記ドリフトチューブが、分割した形状の一部と他部とからなり、
上記分割した形状の一部が上記ステムと一体で加工されたものであり、
上記一部及び他部における分割面を接合することにより形成された上記ステムと上記ドリフトチューブとの接合体を備えたものである。
【発明の効果】
【００１３】
本発明に係るドリフトチューブ線形加速器によれば、形状精度の高いステムとドリフトチューブとの接合体が容易に得られ、高効率なビーム加速を実現することができる安価なドリフトチューブ線形加速器を提供することができる。
【発明を実施するための最良の形態】
【００１４】
以下、本発明に係るドリフトチューブ型線形加速器の好適な実施の形態について説明する。
実施の形態１．
図１は、本発明に係るドリフトチューブ線形加速器の実施の形態１の構成を模式的に示す斜視図である。円筒状（共振空胴内部を図示するため一部切り欠いている）の共振空胴１内には、ビーム加速軸２に沿って、荷電粒子を加速するための加速電場を発生するための複数の円筒状のドリフトチューブ３が設置されている。ドリフトチューブ３を保持する円柱状のステム４は、共振空胴１内壁に取り付けられている。共振空胴１の両端には端板５が設置されている。ただし、共振空胴１内部を図示するため、片方の共振空胴の端板は図示していない。複数のドリフトチューブ３の間には加速ギャップ６があり、以下、ドリフトチューブ３の個数に応じ、加速ギャップ数も増えていく。
【００１５】
図２は、本発明に係るドリフトチューブ線形加速器の実施の形態１に用いられるドリフトチューブ及びステムの正面図（ａ）及び断面図（ｂ），（ｃ）であり、断面図（ｂ），（ｃ）は正面から見た断面図である。
【００１６】
図１に示したように、ドリフトチューブ３の長さはそれぞれ異なっており、このうち長いもの、例えばステム４の直径の３倍以上のものについて、図２（ｂ）に示したように、位置決め形状部８を有する２つのドリフトチューブ３ａと、位置決め形状部７を有する１つのドリフトチューブ３ｂとにビーム加速軸２方向で分割した形状とし、ドリフトチューブ３ｂはステム４と一体に加工されたものとする。図２（ｃ）に示したように、位置決め形状部７と位置決め形状部８とを嵌め合わせて、図２（ａ）、（ｃ）に示したように、ドリフトチューブ３ａとドリフトチューブ３ｂとを分割面１０で接合し接合体９を形成する。ドリフトチューブ３ｂは本発明の請求項における一部に相当し、２つのドリフトチューブ３ａが他部に相当する。
【００１７】
ドリフトチューブ３ｂはステム４の直径よりややビーム加速軸２方向の長さが長く、２つのドリフトチューブ３ａは残りの長さ分を２等分した長さを持つように加工する。これらは従来のドリフトチューブとステムを別々に加工する場合と同等の精度にて加工する。位置決め形状部７，８はそれぞれ、嵌め合い公差数十μｍ程度に加工しておく。これらを互いに嵌め合わせた後、ろう付け、溶接等の方法によって接合する。このとき、位置決め形状部７，８の嵌め合い公差をさらに厳しく取り、冷やしばめ等の方法によって互いを位置合わせした場合は、単純に嵌め合わせた場合より、さらに高精度での接合が可能である。このようなドリフトチューブ３ａ，３ｂとステム４との接合体９を共振空胴１内壁に数十μｍの精度で配置し、ドリフトチューブ線形加速器を構成する。
【００１８】
本実施の形態１によれば、ビーム加速軸２方向で、２つのドリフトチューブ３ａと１つのドリフトチューブ３ｂとに分割した形状とし、ドリフトチューブ３ｂはステム４と一体に加工したものとし、２つのドリフトチューブ３ａとドリフトチューブ３ｂとを分割面で接合しているので、接合界面を大きく取ることができ、また、接合するドリフトチューブ間の相対的な位置や角度を、互いの位置決め形状部７，８によって強く拘束できるため、接合時の歪みによる角度誤差の影響を小さくできる。
【００１９】
また、ステム４とドリフトチューブ３ａ，３ｂとの接合体９を用いることで、形状精度が高く高効率なドリフトチューブ線形加速器を提供することができる。
【００２０】
また、ドリフトチューブ３ａ，３ｂとステム４との高精度な接合体９を容易に加工できるため歩留まりが改善し、製造コストを削減できる効果がある。
【００２１】
また、ドリフトチューブ３ａ，３ｂの配置時のアライメントは高精度な接合体９を用いることで容易となるため作業時間を短縮することができ、製造コストを削減することができる。
【００２２】
また、加速ビームを収束する手段として、熱による変形がドリフトチューブ３に発生しやすいＡＰＦ法（詳細は後述する）を採用した場合、接合面積が大きいので熱による変形に対して強いドリフトチューブ３が得られる。
【００２３】
実施の形態２．
図３は、本発明に係るドリフトチューブ線形加速器の実施の形態２の構成を模式的に示す斜視図であり、図４は、図３のＡ−Ａ断面の一部を示し、Ｈモード・ドリフトチューブ線形加速器のドリフトチューブ・ステム部分の電流経路を模式的に説明する図である。図１と同一符号は同一部分または相当部分であり、ドリフトチューブ３及びステム４は上記実施の形態１における接合体９と同一のものを用いている。
【００２４】
本実施の形態２においては、隣り合うドリフトチューブ３のステム４は、共振空胴１内壁の対向する位置に設置された一対のリッジ１３に交互に接続されており、ビーム軸２に対し、図４に示したように垂直方向に電流が流れるＴＥ波（Ｈモード）を利用して荷電粒子を加速するインターディジタル  Ｈ−モード（Ｉｎｔｅｒｄｉｇｉｔａｌ  Ｈ−ｍｏｄｅ（ＩＨ））型ドリフトチューブ加速器であるという点で上記実施の形態１とは異なる。なお、本実施の形態２においてリッジ１３が無く、ステム４は共振空胴内壁の対向する位置に直接取り付けられていても良い。
【００２５】
ＩＨ型ドリフトチューブ線形加速器においては、ステム４に電流１４が流れるためステム４は発熱する。ここで、例えば陽子を１ＭｅＶから５ＭｅＶまで加速するＩＨ型ドリフトチューブ線形加速器加速器の一例においては、ステム４の発熱量はピーク値で５ｋＷ、平均値で５Ｗ程度となる。一方ドリフトチューブ３における発熱量はこの数分の１以下である。特に、ＩＨ型ドリフトチューブ線形加速器において、荷電粒子の加速ビームを収束させる手段として、ＡＰＦ（Ａｌｔｅｒｎａｔｉｎｇ  Ｐｈａｓｅ  Ｆｏｃｕｓｅｄ）法を採用する場合、すなわち、荷電粒子が加速ギャップ６を通過するときの高周波電場として、高周波の立ち上がりと立下りの位相の電場を交互に用いることにより、荷電粒子を収束するＡＰＦ法を採用する場合は、ドリフトチューブ３内に磁石等のビーム収束専用の機器を必要としないため、ドリフトチューブ３長が短くなる。このため、冷却機構を搭載するための十分なステム径をとることができず、熱による変形が発生しやすいという問題がある。
【００２６】
本実施の形態２においては、ステム４の発熱が大きいＩＨ型ドリフトチューブ加速器において、発熱の小さいドリフトチューブ３上に接合界面を持たせることで、接合部の熱的負荷を軽減することができる。また、接合界面を大きくとることができるため、冷却性能も改善することができる。これにより、熱による変形に対して強いドリフトチューブ３とステム４との接合体を製造することができる。
【００２７】
なお、ここではＩＨ型ドリフトチューブについて説明したが、Ｃｒｏｓｓｂａｒ  Ｈ−ｍｏｄｅ（ＣＨ）型ドリフトチューブ線形加速器など他のＨモード・ドリフトチューブ線形加速器に適用しても同様の効果が得られる。
【００２８】
実施の形態３．
図５は、本発明に係るドリフトチューブ線形加速器の実施の形態３におけるドリフトチューブとステムの接合体の断面図である。図２と同一符号は同一部分または相当部分であり、ドリフトチューブ線形加速器の構成は図１または図３と同一である。
【００２９】
本実施の形態３においては、２つのドリフトチューブ３ａとドリフトチューブ３ｂとの接合が、ドリフトチューブ３ａ及びドリフトチューブ３ｂの位置決め形状部７，８に位置決め用部品１５を嵌め込むことにより達成されている。
【００３０】
本実施の形態３による効果を説明する。
ドリフトチューブとステムの形状や大きさ、使用する加工機によっては実施の形態１で説明したようにドリフトチューブ３ｂやドリフトチューブ３ａ自体に位置決め形状部７，８を精度よく加工するのは困難な場合がある。
【００３１】
本実施の形態３によれば、位置決め用部品１５として、例えば円柱または円筒状の単純な形状のものを用いることができ、位置決め用部品１５を容易に高い形状精度で加工することができる。また、ドリフトチューブ３ａ及びドリフトチューブ３ｂには位置決め用部品１５と同様の単純な位置決め形状部７，８を加工すればよく、容易に位置決め形状部７，８を高精度に加工することができる。
【００３２】
また、高精度に互いに位置決めされ、接合されたドリフトチューブ３ａ，３ｂとステム４との接合体９を容易に製造することができ、形状精度が高く高効率のドリフトチューブ線形加速器を提供することができる。
【００３３】
実施の形態４．
図６は、本発明に係るドリフトチューブ線形加速器のドリフトチューブとステムの接合体の正面図（ａ）及び断面図（ｂ）、（ｃ）であり、断面図（ｂ）は正面から見た断面図、断面図（ｃ）は側面から見た断面図である。図２と同一符号は同一部分または相当部分であり、ドリフトチューブ線形加速器の構成は図１または図３と同一である。
【００３４】
本実施の形態４において、ステム４と一体で加工されたドリフトチューブ３ｂは、別途加工されたドリフトチューブ３ａの位置決め形状部８における溝８ａに嵌り込み、ドリフトチューブ３ａに内包されるような内径及び外径としており、ドリフトチューブ３ａ同士の端面が突き合わされて、ドリフトチューブ３の外形（外径、内径及び長さ）はドリフトチューブ３ａで決定されている。
【００３５】
本実施の形態４によれば、ドリフトチューブ３ａの形状精度でドリフトチューブ３の外形が決定され、また、ドリフトチューブ３ａはドリフトチューブ３ｂに比べて容易に高い形状精度を達成することができるので、実施の形態１の場合に比べて容易に高精度なドリフトチューブ３が得られる。
【００３６】
また、従来例に比べて接合界面を大きくとることができ、また、ドリフトチューブ３ｂをドリフトチューブ３ａによって強く拘束できるため、接合時のひずみによる変形を抑制することができる。
【００３７】
実施の形態５．
図７は、本発明に係るドリフトチューブ線形加速器のドリフトチューブとステムの接合体の正面図（ａ）及び断面図（ｂ）、（ｃ）であり、断面図（ｂ）は正面から見た断面図、断面図（ｃ）は側面から見た断面図である。図２と同一符号は同一部分または相当部分であり、ドリフトチューブ線形加速器の構成は図１または図３と同一である。
【００３８】
本実施の形態５においては、ステム４と一体で加工されたドリフトチューブ３ｂは円筒形状のドリフトチューブ３の中心軸に沿った外周面の一部としている。
【００３９】
本実施の形態５によれば、本発明の請求項における他部であるドリフトチューブ３ａは１つの部品となるので、高精度の外形（外径、内径及び長さ）が得られる。
【００４０】
また、ステム４と一体で加工するドリフトチューブ３ｂも小さくなり、穴あるいは円形溝を加工する必要がなくなる。
【００４１】
また、ドリフトチューブ７とドリフトチューブ９の接合箇所は一箇所のみとなる。また、位置決め形状部８は平らな面にすることができるため容易に高精度に加工でき、また、十分な面積をとることができる。
【００４２】
また、高い形状精度を持つドリフトチューブ３ａ，３ｂとステム４の接合体９を容易に製造することができる。
【００４３】
実施の形態６．
図８は、本発明に係るドリフトチューブ線形加速器のドリフトチューブとステムの接合体の正面断面図である。図２と同一符号は同一部分または相当部分であり、ドリフトチューブ線形加速器の構成は図１または図３と同一である。
【００４４】
本実施の形態６においては、ドリフトチューブ３ａ，３ｂ及びステム４の表面にメッキ、電鋳等の方法によって金属表面層１６が形成されている。
【００４５】
本発明による効果を説明する。ドリフトチューブ３の表面付近は強い電場が発生するため、隣接するドリフトチューブ３やステム４との間に放電を発生する場合がある。このとき加速電極間は短絡するため電圧が発生せず、荷電粒子を加速できない。
【００４６】
接合界面１７が形成された表面部分は一般的にその周囲よりも表面性状が劣っているため、電場が集中しやすく放電を発生しやすい。接合界面１７をドリフトチューブ３内部とした場合、従来のようにドリフトチューブ３とステム４とを接合した場合に比べて、接合界面１７部分が隣接するドリフトチューブ３やステム４に近くなるため、放電を発生しやすくなる可能性があるが、本実施の形態６によれば、金属表面層１６を形成することにより表面性状が改善され、放電の発生を防止できる。
【産業上の利用可能性】
【００４７】
本発明に係るドリフトチューブ線形加速器は、医療用設備等に有効に利用することができる。
【図面の簡単な説明】
【００４８】
【図１】本発明に係るドリフトチューブ線形加速器の実施の形態１の構成を模式的に示す斜視図である。
【図２】本発明に係るドリフトチューブ線形加速器の実施の形態１に用いられるドリフトチューブ及びステムの正面図（ａ）及び断面図（ｂ），（ｃ）である。
【図３】本発明に係るドリフトチューブ線形加速器の実施の形態２の構成を模式的に示す斜視図である。
【図４】図３のＡ−Ａ断面の一部を示す断面図であり、Ｈモード・ドリフトチューブ線形加速器のドリフトチューブ・ステム部分の電流経路を模式的に説明する図である。
【図５】本発明に係るドリフトチューブ線形加速器の実施の形態３におけるドリフトチューブとステムの接合体の断面図である。
【図６】本発明の実施の形態４に関わるドリフトチューブとステムの構成を示す断面図である。
【図７】本発明の実施の形態５に関わるドリフトチューブとステムの構成を示す断面図である。
【図８】本発明の実施の形態６に関わるドリフトチューブとステムの構成を示す断面図である。
【符号の説明】
【００４９】
１  共振空胴、２  ビーム加速軸、３，３ａ，３ｂ  ドリフトチューブ、４  ステム、５  共振空胴端版、６  加速ギャップ、７，８  位置決め形状部、８ａ  円周状の溝、
９  接合体、１０  分割面、１３  リッジ、１４  電流経路、１５  位置決め用部品、
１６  金属表面層、１７  接合界面。
【図１】
2009266450.tif 000003
【図２】
2009266450.tif 000004
【図３】
2009266450.tif 000005
【図４】
2009266450.tif 000006
【図５】
2009266450.tif 000007
【図６】
2009266450.tif 000008
【図７】
2009266450.tif 000009
【図８】
2009266450.tif 000010